(57)【要約】【課題】文字が印刷された紙を収納して表札の機能に利用でき、雨風の侵入を防ぐ十分な水密性を有し、表札を取付けるための別の取付手段を必要としない表札を提供する。【解決手段】表札を構成する透明樹脂製の本体１の平坦な背面３に、凹部５が形成される。この凹部５は、本体１の背面３の縁よりも内側に縁部２１を有し、文字が記された用紙１５を収納できる広さの底面１１を有する。この凹部５には、蓋部１７が嵌合する。この蓋部１７と凹部５の境目１９は、両面テープ２５が封じるとともに、表札を取付け面２７に取付ける。本体１のうち、両面テープに接する部位３１、凹部５の周囲側壁１３、及び凹部５の底面の周囲部３３を覆って、着色部２９が形成され、両面テープ２５を隠す。【選択図】図１
2013109263.tif 000002
【特許請求の範囲】
【請求項１】
表札を構成する透明樹脂製の本体と、この本体の平坦な背面に形成され、この背面の縁よりも内側に縁部を有し、前記表札として機能する文字が記された用紙を収納できる広さの底面を有する凹部と、この凹部に嵌合する蓋部と、この蓋部と前記凹部の境目である前記縁部を封じ且つ前記表札を取付ける両面テープと、を有することを特徴とする表札。
【請求項２】
前記本体のうち、前記両面テープに接する部位、前記凹部の周囲側壁、及び前記凹部の底面の周囲部を覆って、前記両面テープを隠すための着色部が形成されることを特徴とする請求項１に記載の表札。
【請求項３】
前記境目は、粘着性の金属箔テープで封じられた後に、その上から重ねて前記両面テープにより封じられたことを特徴とする請求項１、または２に記載の表札。
【請求項４】
前記透明樹脂製の本体には、太陽光による発電手段と、この発電手段により供給される電気を蓄電する蓄電池と、この蓄電池からの電気により夜間に発光して前記凹部に収納される用紙を照明する照明手段が設けられていることを特徴とする請求項１、２、または３に記載の表札。 
【発明の詳細な説明】
【技術分野】
【０００１】
この発明は、表札の構造に関する。
【背景技術】
【０００２】
表札は、雨や風に耐えるものでなくてはならず、このため石やプラスチックに、名前や番地などを彫ったものが、一般的である。
しかし、新しい家族が誕生して新しい名前を追加したい場合があり、また、引越しなどで番地が変わった際に、新しい番地に更新したい場合がある。
このような追加や更新が容易に行われるように、下記特許文献１では、表札の裏側に、蓋が設けられ、内部に氏名を記入した用紙が収納できるものが提案されている。表札の表側にはガラス板が設けられ、このガラス板を通して氏名が読み取れる。ガラス板の周囲はシリコーンによって取付けられる。蓋の周囲が当接する部分には、ゴムパッキンが配置され、雨風の侵入を防止する。
【０００３】
また、下記特許文献２では、表札を構成する２枚のアクリル板などの間に、写真やカードを挟み、ビスで止めるものが提案されている。 
【先行技術文献】
【特許文献】
【０００４】
【特許文献１】特開２００２−３３３８４０号公報
【特許文献２】特開２００４−１３３３６３号公報
【発明の概要】
【発明が解決しようとする課題】
【０００５】
しかしながら、上記特許文献１の表札は、表札内部へ雨風が侵入することを防止するには、ガラス板の周囲にシリコーン等のシール部材を設けなければならず、このシール部材の経年劣化により、侵入は完全には防ぎきれない。また、蓋をゴムパッキンへ強い力で当接しなければならない。この強い力は、上記特許文献１の図３に記載される蓋の周囲の一部に設けられた開閉金具では、十分には得られない。さらに、このようにある程度の雨風侵入防止を施した表札を、壁や塀などの取付け面へ取付けるには、別の取付手段が必要になる。
【０００６】
また、上記特許文献２の表札は、ビスの雄ネジと雌ネジの間や、２枚のアクリル板などの間から、雨風が侵入してしまうので、屋外での表札には不向きである。
この発明は、以上の問題点を解決するために、文字が印刷された紙を収納して表札の機能に利用でき、雨風の侵入を防ぐ十分な水密性を有し、表札を取付けるための別の取付手段を必要としない表札を提供することを目的とする。
【課題を解決するための手段】
【０００７】
以上の課題を解決するために、第一発明は、表札を構成する透明樹脂製の本体と、この本体の平坦な背面に形成され、この背面の縁よりも内側に縁部を有し、前記表札として機能する文字が記された用紙を収納できる広さの底面を有する凹部と、この凹部に嵌合する蓋部と、この蓋部と前記凹部の境目である前記縁部を封じ且つ前記表札を取付ける両面テープと、を有することを特徴とする表札である。
【０００８】
第二発明は、さらに、前記本体のうち、前記両面テープに接する部位、前記凹部の周囲側壁、及び前記凹部の底面の周囲部を覆って、前記両面テープを隠すための着色部が形成されることを特徴とする表札である。
第三発明は、さらに、前記境目は、粘着性の金属箔テープで封じられた後に、その上から重ねて前記両面テープにより封じられたことを特徴とする表札である。
第四発明は、さらに、前記透明樹脂製の本体には、太陽光による発電手段と、この発電手段により供給される電気を蓄電する蓄電池と、この蓄電池からの電気により夜間に発光して前記凹部に収納される用紙を照明する照明手段が設けられていることを特徴とする表札である。
【発明の効果】
【０００９】
第一、第二、第三、又は第四発明によれば、本体の背面に形成された凹部に、文字が印刷された紙を収納すれば、表札の表面から透明樹脂製の本体を通して文字が読み取れ、表札としての機能を得られる。上記特許文献１のように、ガラス板の周囲に設けなければならないシール部材の経年劣化による雨風の侵入は、完全に防止でき、完全な水密性を得る。
【００１０】
また、蓋部と凹部の境目である縁部を両面テープで封じるが、この両面テープは、上記特許文献１のゴムパッキンに比べ、厚さが薄くて済み、柔軟性があり、よって十分な水密性を得る。また、この両面テープが、取付け面への取付手段を兼ねるので、別の取付手段を必要としない。
【００１１】
第二、第三、又は第四発明によれば、さらに、着色部が形成されることで、表札の表面から透明樹脂製の本体を通して見た際に、着色部によって両面テープが隠れ、表札としての美しさを損なわない。
第三、又は第四発明によれば、さらに、蓋部と凹部の境目は、粘着性の金属箔テープで封じられた後に、その上から重ねて両面テープにより封じられるので、表札の表面から透明樹脂製の本体を通して見た際に、金属箔テープの光沢によって両面テープが隠れ、表札としての美しさを損ないにくい。
【００１２】
第四発明によれば、さらに、透明樹脂製の本体を通った太陽光により昼間に発電がなされ、この電気により照明手段が夜間に、凹部に収納される用紙を照明するので、夜間でも表札の機能を十分に果たすことができる。
【図面の簡単な説明】
【００１３】
【図１】この発明の第一実施形態に係る表札を示すもので（Ａ）は正面図、（Ｂ）は側面図、（Ｃ）は背面図、（Ｄ）は表札の本体を背面側から見た斜視図、（Ｅ）は表札を正面側から見た斜視図である。
【図２】（Ａ）は図１（Ｂ）の拡大図、（Ｂ）は第二実施形態の側面図の拡大図である。
【図３】（Ａ）は第三実施形態に係る表札を示す側面図、（Ｂ）は第四実施形態に係る表札を正面側から見た斜視図、（Ｃ）は第五実施形態に係る表札を正面側から見た斜視図、（Ｄ）は第六実施形態に係る表札を示す側面図である。
【発明を実施するための形態】
【００１４】
この発明の実施形態を、図１及び図２（Ａ）に示す。
表札を構成する本体１は、透明樹脂製であり、板状で、直方体の形状を有する。透明樹脂は、有機ガラスとも呼ばれるアクリル樹脂やポリカーボネートが用いられる。アクリル樹脂は、アクリルガラスとも呼ばれるポリメタクリル酸メチル樹脂が望ましい。
この本体１の平坦な背面３に凹部５が形成される。この凹部５は、浅い四角錐台の形状を有する。凹部５の縁部が構成する四角形７は、本体１の背面の縁が構成する四角形９よりも小さく、同心状に、内側に位置する（図１（Ｄ）参照）。
【００１５】
浅い四角錐台の凹部５の底面１１は、四角形で、凹部５の縁部が構成する四角形７よりも小さい。凹部５の周囲側壁１３は、小さい底面１１に向かって、傾斜している。しかし底面１１は、表札として機能する文字が記された用紙１５を収納できる十分な広さを有する。文字は、番地や家族の名前などを表す。
【００１６】
この凹部５に嵌合する蓋部１７は、凹部５と略相似のやや小さい形状を有する。蓋部１７と凹部５の間の隙間に、用紙１５が挟まれ、安定して収納される。
図１（Ｂ）（Ｃ）に示すように、この蓋部１７と凹部５の境目１９は、凹部５の縁部２１とほぼ一致する。図１（Ｃ）に示すように、この境目１９は四角形を構成する。境目１９は、この四角形に沿って、まず、４本の粘着性の金属箔テープ２３で封じられる。この金属箔は、この実施形態ではアルミ箔である。このアルミ箔テープは、流し台テープ等と呼ばれることがあり、広く市販されている。例えば、三菱アルミニウム社製の製品「アルミテープ」や日東電工株式会社製の製品名「金属箔粘着テープ ニトホイル」型番「AT-50」等が使用できる。
【００１７】
その後に、その上から重ねて、４本の両面テープ２５により封じられる。この両面テープ２５は、取付け面２７の材質により、最適なものを選ぶことができる。取付け面２７が、アルミ、ステンレスなどの金属やその他の一般材料の場合には、例えば、住友スリーエム社製の製品名「３M超強力両面テープ金属用・一般材料用」型番「SKD-12」が適する。
取付け面２７が、ブロックや木材の場合には、例えば、住友スリーエム社製の製品名「３M建築用厚手強力両面テープ」型番「PBA-30」が適する。取付け面２７が、コンクリートやブロックやベニヤの場合には、例えば、住友スリーエム社製の製品名「３M強力両面テープ外壁面用」型番「SB-70」が適する。両面テープが接着する一面は、アルミ箔テープは金属なので、接着する他面が、金属以外のこれら場合には、金属用の両面テープと、これらの他の材質用の両面テープ２５を重ねて使用することもできる。
【００１８】
本体１の背面３には、四角形の周囲に沿って着色部２９が形成される。通常、黒色を有する両面テープ２５を隠すためである。すなわち、本体１の背面３のうち、両面テープに接する部位３１、凹部５の周囲側壁１３、及び凹部５の底面の周囲部３３を覆って、表面に着色層として着色部２９が形成される（図１（Ｂ）（Ｄ）参照）。
【００１９】
「実施形態の効果」
以上の実施形態によれば、以下の効果を得る。
（１）本体１の背面３に形成された凹部５に、文字が印刷された用紙１５を、印刷面を凹部５の底面１１に接して収納すれば、表札の表面３４から透明樹脂製の本体１を通して文字が読み取れる。これにより、表札としての機能を得られる。
（２）金属箔テープ２３や両面テープ２５は、剥がすことができるのもであり、剥がせば、蓋部１７を開け、内部の用紙１５を容易に交換でき、新しい家族が誕生して新しい名前を追加したい場合、引越しなどで番地が変わった際に新しい番地に更新したい場合、用紙に表示する模様、色、デザインを変更したい場合等に、自在に対応できる。
（３）本体１が有する直方体の形状の表面３４や側面３２は、透明な樹脂製で一体的であり、これによって、上記特許文献１のように、別体のガラス板を必要としない。このため、そのガラス板の周囲にシール部材を設ける必要がない。従って、シール部材の経年劣化による雨風の侵入は、完全に防止でき、表面の完全な水密性を得る。
【００２０】
（４）蓋部１７と凹部５の境目１９は、まず、粘着性の金属箔テープ２３で封じられるので、表札の表面から透明樹脂製の本体１を通して見た際に、金属箔テープ２３の裏面の光沢によって、黒い両面テープ２５が隠れ、表札としての美しさを損ないにくい。金属箔テープ２３の裏面の粘着層は薄く、透過して金属色の光沢が現われるからである。
（５）蓋部１７と凹部５の境目１９である縁部２１を、金属箔テープ２３であるアルミ箔テープ２３で貼り付けて封じた後に、その上から重ねて前記両面テープ２５により封じるので、仮に、貼り付けの際にアルミ箔に破れ等が生じても、より完全に水密を得ることができる。
【００２１】
（６）この両面テープ２５は、上記特許文献１のゴムパッキンに比べ、厚さが薄くて済む。両面で粘着するためである。薄いので柔軟性がある。この柔軟性により、仮に、アルミ箔のやぶれなどを通して、境目１９に隙間が生じていても、その隙間を埋めるように変形でき、十分な水密性を得る。
（７）この両面テープ２５は、表札の背面３と壁や塀などの取付け面２７との間に、挟まれて存在し、雨風にさらされるのは、このテープの厚みに相当する部分のみである。よって、雨風にさらされ難く、経年劣化が生じにくく、より十分な水密性を得る。
【００２２】
（８）この両面テープ２５は、水密性を得るだけでなく、取付け面２７への取付手段を兼ねるので、別の取付手段を必要としない。
（９）着色部２９が形成されることで、表札の表面３４から透明樹脂製の本体１を通して見た際に、着色部２９によって、黒い両面テープ２５が隠れ、表札としての美しさを損なわない。
【００２３】
「他の実施形態」
「１」以上の実施形態では、用紙１５の文字は、番地や家族の名前だけを表すものであったが、他の実施形態では、「ウエルカム」などの他の意味を表す文字を含むものでもよい。また、文字だけではなく、写真、模様、あるいは色々なデザインを含むものでもよい。
「２」以上の実施形態では、着色部２９は、本体背面の表面に着色層として形成されるものであったが、他の実施形態では、本体背面の周囲に、部分的に色付き樹脂を用いてもよい。また、着色ではなく、透明樹脂に曇りを施してもよい。
「３」以上の実施形態では、両面テープ２５を隠すために、着色部２９を形成したが、他の実施形態では、必ずしも着色部２９を形成しなくてもよい。すなわち、着色部２９が無くても、金属箔テープ２３だけでも、金属箔テープ２３の裏面の金属色によって、両面テープ２５を隠すことができる。この場合に、金属箔テープ２３の幅を両面テープ２５の幅より大きくし、十分に隠す。
【００２４】
「４」以上の実施形態では、金属箔は、アルミ箔であったが、他の実施形態では、銅箔など他の金属箔でも構わない。
「５」以上の実施形態では、両面テープ２５を隠すために、着色部２９や金属箔テープ２３を利用したが、他の実施形態では、例えば図２（Ｂ）に示す第二実施形態に係る表札のように、両面テープ２５の色が黒ではなく、表札としての美しさを損なわない場合には、着色部２９や金属箔テープ２３を用いなくても構わない。
「６」以上の実施形態では、両面テープ２５は、直ちに、表札の取付け面２７への取付を行うものであったが、他の実施形態では、図３（Ａ）に示す第三実施形態に係る表札のように、取付け面２７が凸凹するなどして、両面テープ２５による直の取付が不十分になることが予想される場合には、その取付け面２７にビスなどにより、平滑な取付面部材３５を取付け、その取付面部材３５へ両面テープ２５による取付を行うことができる。
【００２５】
「７」以上の実施形態では、表札の本体１は板状であって厚みは一定であり立体的ではなかったが、他の実施形態では、本体１の形状に色々なデザインを採用することができる。例えば図３（Ｂ）に示す第四実施形態に係る表札のように、厚みを変化させ、立体的にし、表面を上向きにすることで、目線よりの低い位置に取付けられた表札の前に立った人に対して、表札を見やすくできる。また、表面周囲の角部をカットすることで、より立体的にして、透明樹脂の質感とともに高級感を演出できる。
【００２６】
「８」以上の実施形態では、表札の本体１は四角形の板状であったが、他の実施形態では、四角形以外の任意の形状を採用できる。また、板状ではなく立体的にもできる。例えば図２（Ｃ）に示す第五実施形態に係る表札のように、表札の本体１を楕円にし、さらに、厚みを変化させて立体的にし表面を上向きにすることもできる。
【００２７】
「９」以上の実施形態では、表札は照明装置を備えていないが、他の実施形態では、表札本体の透明性を生かして太陽光による発電を昼間行い、その電気で夜間に照明を行うことができる。例えば図２（Ｄ）に示す第六実施形態に係る表札は、透明樹脂製の本体１の内部に、太陽光発電による照明装置３７が設けられる。
すなわち、太陽光による発電手段として太陽電池パネル３９が、表札の表示機能を果たす用紙１５を収納する凹部５の周囲に、太陽光を受けやすいように角度を上向きに設けられる。この太陽電池パネル３９には、発電される電気を蓄電する蓄電池４１と、この蓄電池４１からの電気により夜間に発光する照明手段としての発光ダイオード４３、及びこれらの制御を行う制御回路４５が接続される。光ダイオード４３は、凹部５の周囲に、太陽電池パネル３９よりも凹部５へ近い位置に複数が設けられる。
【００２８】
この第六実施形態によれば、透明樹脂製の本体１を通った太陽光により昼間に発電がなされ、この電気により光ダイオード４３が夜間に、凹部５に収納される用紙１５を照明するので、夜間でも表札の機能を十分に果たすことができる。また、太陽電池パネル３９、発光ダイオード４３、また制御回路４５等からなる電子回路は、本体１の透明樹脂により包まれ、雨風から保護される。
【００２９】
「１０」以上の実施形態では、両面テープ２５は、一方の面ではアルミ面を、他方の面では表札を取付ける取付け面２７を接着するために、取付け面２７の材質が金属ドアなど、アルミ、ステンレスなどの金属やその他の一般材料の場合には、例えば、住友スリーエム社製の製品名「３M超強力両面テープ金属用・一般材料用」型番「SKD-12」が適する。
【００３０】
取付け面２７の材質が金属ではない場合には、上記両面テープに、取付け面２７の材質に応じた他の両面テープを重ねて使用することもできる。この重ねて使用する他の両面テープは、取付け面２７が、ブロックや木材の場合には、例えば、住友スリーエム社製の製品名「３M建築用厚手強力両面テープ」型番「PBA-30」が適する。取付け面２７が、コンクリートやブロックやベニヤの場合には、例えば、住友スリーエム社製の製品名「３M強力両面テープ外壁面用」型番「SB-70」が適する。
【符号の説明】
【００３１】
１…本体、３…背面、５…凹部、７…凹部の縁部が構成する四角形、９…背面の縁が構成する四角形、１１…底面、１３…周囲側壁、１５…用紙、１７…蓋部、１９…境目、２１…縁部、２３…金属箔テープ、２５…両面テープ、２７…取付け面、２９…着色部、３１…両面テープに接する部位、３２・・側面、３３…底面の周囲部、３４・・表面、３５…取付面部材、３７…照明装置、３９…太陽電池パネル、４１…蓄電池、４３…発光ダイオード、４５…制御回路。
【図１】
2013109263.tif 000003
【図２】
2013109263.tif 000004
【図３】
2013109263.tif 000005